(57)【要約】      （修正有）       【課題】 従来のクリップやヘアークリップでは、頭髪を正確に計測しカットするため、頭部に当接させ頭髪を頭皮に対して垂直に挟持すると、頭髪の取り幅全体が中心一点に挟持され頭皮にあたえる負担が大きかった。また、挟持された頭髪のカットしたカット面の誤差も大きく利用するのは困難であった。       【解決手段】  基端部がグリップ部４、５、先端側が挟持片６、７と、突出片８、に形成された左右のクリップ体２、３を重ね合わせて軸支し、バネ１０によって付勢してなるヘアークリップ１において、頭髪を挟持する左右の挟持片６、７の頭皮方向に伸びた突出片８を設けることで頭皮と挟持片の間に必要な既知の距離を設定することを可能としたことを特徴としている。【選択図】図１
2006217931.tif 000002
【特許請求の範囲】
【請求項１】
メジャーに取り付けるへアークリップにおいて、頭髪を挾持する左右の挟持部の下側に、頭皮側に対応する、頭髪を挾持しない所定の長さの非挾持部を設けてあることを特徴とした、頭髪メジャー用クリップ。
【請求項２】
頭髪を切るための長さに設定されたメジャーと一体となるヘアークリップにおいて、頭髪を挾持する左右の挾持部の下側に、頭皮側に対応する、頭髪を挾持しない所定の長さの非挾持部を設けてあることを特徴とした、頭髪メジャー用クリップ。
【請求項３】
前記、請求項１、２の非挾持部が左右の挾持部の片側に設けてある、頭髪メジャー用クリップ。
【請求項４】
前記、請求項１、２、３の非挾持部の長さが延長できる、頭髪メジャー用クリップ。
【発明の詳細な説明】
【技術分野】
【０００１】
本発明は、メジャーの先端部に取り付けるヘアークリップが頭部に接触し頭髪の根本付近を挾持し、挾持された頭髪をカットしたカット面の誤差を小さくする頭髪メジャークリップに関する。
【背景技術】
【０００２】
従来、頭部に接触し頭髪を頭皮に対して垂直に挾持し、頭皮に与える負担を軽減した頭髪メジャー用クリップが開発されていなかった。
【０００３】
【特許文献１】実開平０５−０７０４１２５号公報
【特許文献２】特開２００４−０８９６７０号公報
【発明の開示】
【発明が解決しようとする課題】
【０００４】
従来、出願されていた頭髪メジャーの挾着部は、本発明が解決しようとする課題が解決されていなかった。頭髪カットクリップは、カットに重要な髪の長さを計り決定することができなかった。また、頭髪カットクリップのサイズを大きくしても、本発明が解決しようとする課題が解決されていなかった。ところで、頭髪を計測しカットするためには頭皮上でメジャーの一端が接触し頭髪を固定し、頭髪とメジャーを同時に目的の長さまで引き伸ばさなければ正確に計測しカットできない。また、従来のクリップやヘアークリップにメジャーを取り付け、頭皮に接触させ頭皮に対して垂直に頭髪を挾持すると、頭皮上の毛髪と毛髪の間には空間があるため、計測する頭髪の取り幅全体が中心一点に挾持され両端の毛髪に力が強く作用し、頭皮に痛みをあたえてしまう。なお、計測するために頭髪を直線状に引き伸ばすとさらに頭皮には強い痛みをあたえてしまう。また、頭皮に対して垂直に挾持された頭髪を、カットしたカット面が取り幅の中心が短く両端にいくほど長くなり、頭髪の取り幅の約半分の長さの誤差が生じる。
【０００５】
本発明は、かかる現状に鑑みて創作されたものであって、その目的とするところは、頭部に接触し頭皮に与える負担を軽減し、頭皮に対して頭髪を垂直に挾持できる頭髪メジャークリップである。また、ヘアークリップをメジャーに取付け頭髪を挾持し、計測後、カットしたカット面の誤差を小さくする頭髪メジャー用クリップを提供することである。さらに、技術者が目的の長さに頭髪を指間に挾持する時と同じ状態をつくる、メジャーと一体となる頭髪メジャー用クリップを提供することである。
【課題を解決するための手段】
【０００６】
かかる目的を達成するため、請求項１の発明は、基端側がグリップ部、先端側が頭髪を挾持する挾持部と、頭皮側に対応する頭髪を挾持しない非挾持部で形成された左右のクリップ体を重ね合わせて軸支し、左右のクリップ体のグリップ同士を開き、頭髪を挾持する挾持部を閉じるようにバネによって付勢してなるヘアークリップにおいて、前記バネの付勢によって頭髪が挾持部同士に閉じられた際に、頭皮側に対応する頭髪を挾持しない非挾持部が設けてあることを特徴としている。
【発明の効果】
【０００７】
本発明によれば、頭髪メジャー用クリップが頭部に接触し頭皮に対して頭髪を垂直に挾持することができるようになり、頭皮にあたえる負担が軽減される。頭髪メジャー用クリップによって、計測後カットしたカット面の誤差が小さくなる。従来ある、パネル状にカットするブラントカット技法により制作された、ヘアースタイルの各所のパネルの長さを表示したヘアーデザインを用いて、メジャーと一体となる頭髪メジャー用クリップの数種類の挾持部の角度と、頭髪の長さを延長させる数種類の延長部を組み合わせることにより、熟練した技術者でなくても、いろいろなヘアースタイルが容易にカットできるようになる。
【発明を実施するための最良の形態】
【０００８】
以下、本発明の実施形態を図面を用いて説明する。図１、２、３、４、５、７、８、９図は何れも本発明の実施形態にかかる頭髪メジャー用クリップ１を示しており、図１は斜視図、図２は前面図、図３は背面図、図４は右側面図、図５は本発明の頭髪メジャークリップをメジャーの先端部に取り付けクリップの一端が頭部に接触し頭髪を挾持した斜視図、図６は従来のヘアークリップを頭部に接触し頭髪を挾持した前面図と斜視図。図７は頭髪メジャークリップの頭髪を挾持する左右の挾持部の下側の両方に非挾持部が設けてある斜視図、図８は頭皮に対して挾持部の角度が４５度に設定され頭髪を挾持した右側面図、図９は非挾持部の下側に延長部を接続した全面図。
【０００９】
図示のヘアークリップ１は、例えば金属やプラスチックなどで構成される右のクリップ体２と左のクリップ体３を左右に重ね合わせた構成になっている。これら左右のクリップ体２、３の基端側は、何れもグリップ部４、５で形成されている。また、左右のクリップ体２、３の先端側は、上側に頭髪を挾持する挾持部６、７、下側に頭髪を挾持しない所定長さの非挾持部８で形成されている。そして、これらの左右のクリップ体２、３をそのグリップ部４、５同士およびその頭髪を挾持する挾持部６、７同士を重ね合わせるようにして、軸９により互いに回転自在に軸支している。この軸の周囲には、コイルバネ１０がまきつけてあり、このバネ付勢によって、左右のクリップ体２、３のグリップ部４、５同士を開き、かつ、頭髪を挾持する、挾持部６、７同士を閉じる力が、左右のクリップ体２、３に常に作用している。
【００１０】
本発明かかるヘアークリップ１によれば、挾持部６、７の下側に非挾持部８、が形成されているので、頭皮と挾持部の間に空間ができ、頭皮にあたえる負担が小さくなる。また、頭髪を頭皮上で挾持することがなくなるため計測後カットしたカット面の誤差も小さくなる。
【図面の簡単な説明】
【００１１】
【図１】本発明の実施形態を示す頭髪メジャー用クリップの斜視図。
【図２】本発明の実施形態を示す頭髪メジャー用クリップの前面図。
【図３】本発明の実施形態を示す頭髪メジャー用クリップの背面図。
【図４】本発明の実施形態を示す頭髪メジャー用クリップの右側面図。
【図５】本発明の実施形態を示す頭髪メジャー用クリップをメジャーの先端部に取り付けクリップの一端が頭部に接触し頭髪を挾持した斜視図。
【図６】従来のヘアークリップを頭部に接触し頭髪を挾持した前面図と斜視図
【図７】本発明の実施形態を示す頭髪メジャー用クリップの頭髪を挾持する左右の挾持部の下側の両方に非挾持部が設けてある斜視図。
【図８】頭皮に対して挾持部の角度が４５度に設定され頭髪を挾持した、本発明の実施形態を示す頭髪メジャー用クリップの右側面図。
【図９】非挾持部の下側に延長部を接続した本発明の実施形態を示す頭髪メジャー用クリップの前面図。
【符号の説明】
【００１２】
１頭髪メジャー用クリップ
２右のクリップ体
３左のクリップ体
４右のグリップ部
５左のグリップ部
６右の挾持部
７左の挾持部
８左の非挾持部
９軸
１０コイルバネ
１１延長部
【図１】
2006217931.tif 000003
【図２】
2006217931.tif 000004
【図３】
2006217931.tif 000005
【図４】
2006217931.tif 000006
【図５】
2006217931.tif 000007
【図６】
2006217931.tif 000008
【図７】
2006217931.tif 000009
【図８】
2006217931.tif 000010
【図９】
2006217931.tif 000011
【手続補正書】
【提出日】平成18年5月8日(2006.5.8)
【手続補正１】
【補正対象書類名】特許請求の範囲
【補正対象項目名】全文
【補正方法】変更
【補正の内容】
【特許請求の範囲】
【請求項１】
頭髪を所要の長さにカットするために用いるメジャーつきのヘアークリップにおいて、ヘアークリップの少なくとも一方の挟持片に、頭皮方向に伸びた突出片を設けることで、この突出片をスペーサーとして前記ヘアークリップを頭皮に当接して使用することを可能とし、頭皮から前記ヘアークリップまでの距離を容易に一定に保持し、同時に前記ヘアークリップを頭皮に対して垂直に保持することを可能としたことを特徴とした頭髪メジャー用クリップ。
【請求項２】
頭髪を所要の長さにカットするために用いるメジャーつきのヘアークリップにおいて、ヘアークリップの少なくとも一方の挟持片に設けられた頭皮方向に伸びた突出片に、突出長さが調整可能となるように延長片を取り付けたことにより、カット長さの変更に容易に対応することを可能としたことを特徴とする、請求項１の頭髪メジャー用クリップ。  
【手続補正２】
【補正対象書類名】明細書
【補正対象項目名】０００４
【補正方法】変更
【補正の内容】
【０００４】
従来、出願されていた頭髪メジャーつきのクリップでは、クリップで固定した場所からの髪の長さ（Ａ）をメジャーで知ることができるが、頭皮からクリップする場所までの距離（Ｂ）は指定することができない。
【図６】に示すごとく、（Ｂ）の距離が０であるようにクリップを頭皮に当接させてセットすれば、頭髪の取り幅の周辺部と中心部では取り幅の半分の長さの誤差が生じ、Ｂの長さは不揃いになる。カットした髪の長さは（Ａ＋Ｂ）であるから、Ａが正確でもＢが不揃いであれば仕上がりも不揃いとなり、本発明が解決しようとする課題が解決されていなかった。頭髪カットクリップは、カットに重要な髪の長さを正確に計測し決定することができなかった。ところで、頭髪を計測しカットするためには頭皮上でメジャーの一端が当接し、かつ、頭髪を固定しなければならない。さらに、頭髪とメジャーを同時に目的の長さまで引き伸ばさなければ正確に計測しカットできない。また、
【図６】に示したように、従来のクリップを頭皮に当接して使用すれば、メジャーの０基点となる頭髪を挟持する挟持片自体が頭皮に当接するため、挟持される頭髪の取り幅の特に周辺部が中心一点に強く横に引かれ、頭髪が挟持された瞬間に頭皮に不快感を与えてしまう。つまり、従来のメジャーつきクリップには、取り幅内のＢのばらつきを抑え、かつ頭皮に不快感を与えないためには、クリップを頭皮から少なくとも取り幅程度以上離して使用するという前提があるのであるが、その離した距離の長さＢを正確に設定できないという問題がある。また、取り幅の中央点から頭皮に対して垂直な位置で挟持するということも正確に出来ず、取り幅内のＢのばらつきを最小限にすることが出来ていない。
【手続補正３】
【補正対象書類名】明細書
【補正対象項目名】０００５
【補正方法】変更
【補正の内容】
【０００５】
本発明は、かかる現状に鑑みて創作されたものであって、その目的とするところは、頭髪を挟持した際、頭髪の取り幅内のＢのばらつきを抑え、かつ、頭皮に不快感を与えない頭髪メジャー用クリップを提供することである。さらに、技術者が目的の長さに頭髪を指間に挟持する時と同じ状態をつくる、メジャーと一体となる頭髪メジャー用クリップを提供することである。
【手続補正４】
【補正対象書類名】明細書
【補正対象項目名】０００６
【補正方法】変更
【補正の内容】
【０００６】
かかる目的を達成するため、請求項１の発明は、基端側がグリップ部、先端側が頭髪を挟持する挟持片で形成された左右のクリップ体を重ね合わせて軸支し、左右のクリップ体のグリップ同士を開き、頭髪を挟持する挟持片を閉じるようにバネによって付勢してなるヘアークリップにおいて、挟持片から頭皮方向に伸びた突出片が少なくとも一方の挟持片に設けてあることを特徴としている。
【手続補正５】
【補正対象書類名】明細書
【補正対象項目名】０００７
【補正方法】変更
【補正の内容】
【０００７】
本発明によれば、頭髪メジャー用クリップに設けられた当接用の突出片が頭皮に当接するので、頭皮から挟持片までの距離Ｂを正確に設定することが出来る。また、一対の挟持片から延伸された同じ長さの２本の突出片を取り幅をはさむように当接させることで頭皮に対して頭髪を垂直に挟持することができる。その結果として頭皮に与える負担を軽減しながら、頭髪メジャーによって計測後カットしたカット面の誤差を最小限にすることが出来る。
また、請求項２については、クリップと一体となる頭髪メジャー用クリップにおいて、挟持片から頭皮方向に伸びた突出片に、長さの分かった延長片を磁石などで接着させ、頭皮方向に延長調整することで、熟練した技術者でなくても、さまざまな長さのカットが容易にできるという効果がある。この場合、メジャーを使用してクリップの後方離れてカットすることもあるし、メジャーを使わずクリップの直後でカットすることも可能である。
【手続補正６】
【補正対象書類名】明細書
【補正対象項目名】０００８
【補正方法】変更
【補正の内容】
【０００８】
以下、本発明の実施形態を図面を用いて説明する。図１、２、３、４、５、６、７、８、９図は何れも本発明の実施形態にかかる頭髪メジャー用クリップ１を示しており、図１は斜視図、図２は前面図、図３は背面図、図４は右側面図、図５は本発明の頭髪メジャー用クリップをメジャーの先端部に取り付け、クリップの突出片が頭部に当接し頭髪を挟持した斜視図、図６は従来のヘアークリップを頭部に直接当接し頭髪を挟持した前面図と斜視図。図７は頭髪メジャー用クリップの頭髪を挟持する挟持片の頭皮方向に伸びた突出片が左右に設けてある斜視図、図８は頭皮に対して挟持片の角度が４５度に設定された頭髪を挟持した右側面図、図９は突出片の頭皮側に延長片を磁石で接着した前面図である。延長調整の方法は、磁石による接着に限らず嵌め込みやねじ止めなどが可能である。なお、突出片がどちらか一方の挟持片にしか設けられていない一本足の場合でも、片手を添えて目視で調整すれば容易に挟持する位置を設定することが出来て、挟持片の両方に突出片を持つ２本足の場合と同様に目的を達することが出来る。
【手続補正７】
【補正対象書類名】明細書
【補正対象項目名】０００９
【補正方法】変更
【補正の内容】
【０００９】
図示のヘアークリップ１は、例えば金属やプラスッチクなどで構成される右のクリップ体２と左のクリップ体３を左右に重ね合わせた構成になっている。これら左右のクリップ体２、３の基端側は、何れもグリップ部４、５で構成されている。また、左右のクリップ体の先端側は、図の上側に頭髪を挟持する挟持片６、７、図の下側に挟持片の頭皮に当接する方向に伸びた突出片８で構成されている。そして、これらの左右のクリップ体２、３をそのグリップ部４、５同士およびその頭髪を挟持する挟持片６、７同士を重ね合わせるようにして、軸９により互いに回転自在に軸支している。この軸の周囲には、コイルバネ１０が巻きつけてあり、このバネ付勢によって、左右のクリップ体２、３のグリップ部４、５同士を開き、かつ、頭髪を挟持する、挟持片６、７同士を閉じる力が、左右のクリップ体２、３に常に作用している。なお、突出片の形状については、図示したごとく挟持片と概ね同一の形状でなくても、たとえば棒状の差込片であってもよい。
【手続補正８】
【補正対象書類名】明細書
【補正対象項目名】００１０
【補正方法】変更
【補正の内容】
【００１０】
図１に示した本発明にかかるヘアークリップ１によれば、挟持片６、７の下側に挟持片の頭皮に当接させる方向に伸びた突出片８がスペーサーとして形成されているので、頭皮と挟持片の間に必要な距離を確保することができ、頭皮に与える負担が小さくなる。また、頭髪を頭皮直上で挟持することがなくなるため計測後カットしたカット面の誤差も小さくなる。
【手続補正９】
【補正対象書類名】明細書
【補正対象項目名】００１１
【補正方法】変更
【補正の内容】
【００１１】
【図１】本発明の実施形態を示す頭髪メジャー用クリップの斜視図。
【図２】本発明の実施形態を示す頭髪メジャー用クリップの前面図。
【図３】本発明の実施形態を示す頭髪メジャー用クリップの背面図。
【図４】本発明の実施形態を示す頭髪メジャー用クリップの右側面図。
【図５】本発明の実施形態を示す頭髪メジャー用クリップをメジャーの先端部に取り付けクリップの突出片が頭部に当接し頭髪を挟持した斜視図。
【図６】従来のヘアークリップを頭部に当接し頭髪を挟持した前面図と斜視図。
【図７】本発明の実施形態を示す頭髪用メジャー用クリップの頭髪を挟持する左右の挟持片の頭皮方向に伸びた突出片が設けてある斜視図。
【図８】頭皮に対して挟持片の角度が４５度に設定され頭髪を挟持した、本発明の実施形態を示す頭髪メジャー用クリップの右側面図。
【図９】突出片の頭皮側に延長片を磁石で接着した本発明の実施形態を示す頭髪メジャー用クリップの前面図。
【手続補正１０】
【補正対象書類名】明細書
【補正対象項目名】００１２
【補正方法】変更
【補正の内容】
【００１２】
１  頭髪メジャー用クリップ
２  右のクリップ体
３  左のクリップ体
４  右のグリップ部
５  左のグリップ部
６  右の挟持片
７  左の挟持片
８  左の突出片
９  軸
１０ コイルバネ
１１ 延長片  
【手続補正書】
【提出日】平成18年6月26日(2006.6.26)
【手続補正１】
【補正対象書類名】特許請求の範囲
【補正対象項目名】全文
【補正方法】変更
【補正の内容】
【特許請求の範囲】
【請求項１】
メジャーの先端部に取り付けてなる頭髪メジャー用クリップにおいて、頭髪メジャー用クリップは、基端側がグリップ部、先端側が頭髪を挾持する挾持部に形成された左右のクリップ体を重ね合わせて軸支し、前記挾持部同士を閉じるようにバネによって付勢してなり、さらに、前記左右のクリップ体の一方には非挾持部をメジャーが延伸する方向とは反対方向に設けたことを特徴とした頭髪メジャー用クリップ。
【手続補正２】
【補正対象書類名】明細書
【補正対象項目名】全文
【補正方法】変更
【補正の内容】
【発明の詳細な説明】
【技術分野】
【０００１】
本発明は、メジャーの先端部に取り付けるヘアークリップが頭部に接触し頭髪の根本付近を挾持し、挾持された頭髪をカットしたカット面の誤差を小さくする頭髪メジャー用クリップに関する。                                        
【背景技術】
【０００２】
従来、頭部に接触し頭髪を頭皮に対して垂直に挾持し、頭皮に与える負担を軽減した頭髪メジャー用クリップが開発されていなかった。                  
【０００３】
【特許文献１】実開平０５−０７０４１２５号公報
【特許文献２】特開２００４−０８９６７０号公報
【発明の開示】
【発明が解決しようとする課題】
【０００４】
従来、出願されていた頭髪メジャーの挾着部は、本発明が解決しようとする課題が解決されていなかった。頭髪カットクリップは、カットに重要な髪の長さを計り決定することができなかった。また、頭髪カットクリップのサイズを大きくしても、本発明が解決しようとする課題が解決されていなかった。ところで、頭髪を計測しカットするためには頭皮上でメジャーの一端が接触し頭髪を固定し、頭髪とメジャーを同時に目的の長さまで引き伸ばさなければ正確に計測しカットできない。また、従来のクリップやヘアークリップにメジャーを取り付け、頭皮に接触させ頭皮に対して垂直に頭髪を挾持すると、頭皮上の毛髪と毛髪の間には空間があるため、計測する頭髪の取り幅全体が中心一点に挾持され両端の毛髪に力が強く作用し、頭皮に痛みをあたえてしまう。なお、計測するために頭髪を直線状に引き伸ばすとさらに頭皮には強い痛みをあたえてしまう。また、頭皮に対して垂直に挾持された頭髪を、カットしたカット面が取り幅の中心が短く両端にいくほど長くなり、頭髪の取り幅の約半分の長さの誤差が生じる。                              
【０００５】
本発明は、かかる現状に鑑みて創作されたものであって、その目的とするところは、頭部に接触し頭皮に与える負担を軽減し、頭皮に対して頭髪を垂直に挾持できる頭髪メジャークリップである。また、ヘアークリップをメジャーに取り付け頭髪を挾持し、計測後、カットしたカット面の誤差を小さくする頭髪メジャー用クリップを提供することである。さらに、技術者が目的の長さに頭髪を指間に挾持する時と同じ状態をつくる、メジャーと一体となる頭髪メジャー用クリップを提供することである。                                
【課題を解決するための手段】
【０００６】
かかる目的を達成するため、請求項１の発明は、基端側がグリップ部、先端側が頭髪を挾持する挾持部と、頭皮側に対応する頭髪を挾持しない非挾持部で形成された左右のクリップ体を重ね合わせて軸支し、左右のクリップ体のグリップ同士を開き、頭髪を挾持する挾持部を閉じるようにバネによって付勢してなるヘアークリップにおいて、前記バネの付勢によって頭髪が挾持部同士に閉じられた際に、頭皮側に対応する頭髪を挾持しない非挾持部が設けてあることを特徴としている。      
【発明の効果】
【０００７】
本発明によれば、頭髪メジャー用クリップが頭部に接触し頭皮に対して頭髪を垂直に挾持することができるようになり、頭皮にあたえる負担が軽減される。頭髪メジャー用クリップによって、計測後カットしたカット面の誤差が小さくなる。従来ある、パネル状にカットするブラントカット技法により製作された、ヘアースタイルの各所のパネルの長さを表示したヘアーデザインを用いて、メジャーと一体となる頭髪メジャー用クリップの数種類の挾持部の角度と、頭髪の長さを延長させる数種類の延長部を組み合わせることにより、熟練した技術者でなくても、いろいろなヘアースタイルが容易にカットできるようになる。                        
【発明を実施するための最良の形態】
【０００８】
以下、本発明の実施形態を図面を用いて説明する。図１から図５、及び、図７から図９は何れも本発明の実施形態にかかる頭髪メジャー用クリップ１を示しており、図１は斜視図、図２は前面図、図３は背面図、図４は右側面図、図５は本発明の頭髪メジャー用クリップをメジャーの先端部に取り付けクリップの一端が頭部に接触し頭髪を挾持した斜視図、図６は従来のヘアークリップを頭部に接触し頭髪を挾持した前面図と斜視図。図７は頭髪メジャークリップの頭髪を挾持する左右の挾持部の下側の両方に非挾持部が設けてある斜視図、図８は頭皮に対して挾持部の角度が４５度に設定され頭髪を挾持した右側面図、図９は非挾持部の下側に延長部を接続した前面図。
【０００９】
図示のヘアークリップ１は、例えば金属やプラスチックなどで構成される右のクリップ体２と左のクリップ体３を左右に重ね合わせた構成になっている。これら左右のクリップ体２、３の基端側は、何れもグリップ部４、５で形成されている。また、左右のクリップ体２，３の先端側は、上側に頭髪を挾持する挾持部６、７、下側に頭髪を挾持しない所定長さの非挾持部８で形成されている。そして、これらの左右のクリップ体２、３をそのグリップ部４、５同士およびその頭髪を挾持する挾持部６、７同士を重ね合わせるようにして、軸９により互いに回転自在に軸支している。この軸の周囲には、コイルバネ１０がまきつけてあり、このバネ付勢によって、左右のクリップ体２、３のグリップ部４、５同士を開き、かつ、頭髪を挾持する、挾持部６、７同士を閉じる力が、左右のクリップ体２、３に常に作用している。  
【００１０】
本発明にかかるヘアークリップ１によれば、挾持部６、７の下側に非挾持部８、が形成されているので、頭皮と挾持部の間に空間ができ、頭皮にあたえる負担が小さくなる。また、頭髪を頭皮上で挾持することがなくなるため計測後カットしたカット面の誤差も小さくなる。                                          
【図面の簡単な説明】
【００１１】
【図１】本発明の実施形態を示す頭髪メジャー用クリップの斜視図。
【図２】本発明の実施形態を示す頭髪メジャー用クリップの前面図。
【図３】本発明の実施形態を示す頭髪メジャー用クリップの背面図。
【図４】本発明の実施形態を示す頭髪メジャー用クリップの右側面図。
【図５】本発明の実施形態を示す頭髪メジャー用クリップをメジャーの先端部に取り付けクリップの一端が頭部に接触し頭髪を挾持した斜視図。
【図６】従来のヘアークリップを頭部に接触し頭髪を挾持した前面図と斜視図。
【図７】本発明の実施形態を示す頭髪用メジャー用クリップの頭髪を挾持する左右の挾持部の下側の両方に非挾持部が設けてある斜視図。
【図８】頭皮に対して挾持部の角度が４５度に設定され頭髪を挾持した、本発明の実施形態を示す頭髪メジャー用クリップの右側面図。
【図９】非挾持部の下側に延長部を接続した本発明の実施形態を示す頭髪メジャー用クリップの前面図。
【符号の説明】
【００１２】
１  頭髪メジャー用クリップ                                            
２  右のクリップ体                                                    
３  左のクリップ体                                                    
４  右のグリップ部                                                    
５  左のグリップ部                                                  
６  右の挾持部                                                      
７  左の挾持部                                                      
８  左の非挾持部                                                    
９  軸                                                              
１０  コイルバネ                                                      
１１  延長部